(57)【要約】【課題】  段階的に輝度設定値が切り替え可能な表示装置における、段階毎の表示特性の検査の合否結果を、ユーザが容易に確認でき、表示装置における表示特性の検査に不合格であった段階で、ユーザが表示装置を使用してしまうことを防ぐ制御装置を提供する。【解決手段】  本発明の制御装置は、段階的に輝度設定値が切り替え可能な発光手段と、を備える表示装置の表示特性の検査を実行可能な制御装置であって、輝度設定値の段階毎に表示特性の検査を実行する制御を行う制御手段と、制御手段の制御により実行された、第１の段階及び第２の段階の表示特性の検査結果が、所定の条件を満たす結果であるか否かを判定する判定手段と、判定手段により判定された、第１の段階の輝度設定値に応じた判定結果及び第２の段階の輝度設定値に応じた判定結果の少なくとも一方に基づく通知をユーザに対して行う通知手段と、を備える。【選択図】  図１
2017152992.tif 000002
【特許請求の範囲】
【請求項１】
表示パネルと、段階的に輝度設定値が切り替え可能な発光手段と、を備える表示装置の表示特性の検査を実行可能な制御装置であって、
輝度設定値の段階毎に前記表示特性の検査を実行する制御を行う制御手段と、
前記制御手段の制御により実行された、第１の段階及び第２の段階の表示特性の検査結果が、所定の条件を満たす結果であるか否かを判定する判定手段と、
前記判定手段により判定された、前記第１の段階の輝度設定値に応じた判定結果及び前記第２の段階の輝度設定値に応じた判定結果の少なくとも一方に基づく通知をユーザに対して行う通知手段と、
を備えることを特徴とする制御装置。
【請求項２】
前記通知手段は、前記通知を、画像、音及び光の少なくともいずれかを用いて、ユーザに対して行うことを特徴とする請求項１に記載の制御装置。
【請求項３】
前記通知をユーザに対して行うか否かを決定する決定手段をさらに備え、
前記決定手段は、前記表示装置に表示される表示画像の種類に基づいて、前記通知をユーザに対して行うか否かを決定することを特徴とする請求項１または２に記載の制御装置。
【請求項４】
前記決定手段は、前記表示画像が診断画像であった場合に、前記通知をユーザに対して行うと決定することを特徴とする請求項３に記載の制御装置。
【請求項５】
前記決定手段は、前記表示画像が診断画像以外の画像であった場合に、前記通知をユーザに対して行わないと決定することを特徴とする請求項３または４に記載の制御装置。
【請求項６】
前記通知手段は、ユーザ指示に応じて、前記通知をユーザに対して行うことを特徴とする請求項１乃至５のいずれか一項に記載の制御装置。
【請求項７】
前記通知手段は、前記所定の条件を満たさない段階の輝度設定値に切り替えられた場合に、当該段階の輝度設定値に応じた判定結果の通知をユーザに対して行うことを特徴とする請求項１乃至６のいずれか一項に記載の制御装置。
【請求項８】
前記表示特性を測定する測定手段をさらに備え、
前記所定の条件とは、前記測定手段による測定で得られた測定値が、前記制御装置が予め記憶する目標値に基づく所定の範囲内である、という条件であることを特徴とする請求項１乃至７のいずれか一項に記載の制御装置。
【請求項９】
前記所定の条件とは、前記表示装置に複数の階調値の画像を含むテスト画像を表示し、ユーザが前記複数の階調値の画像間で輝度差及び色差の少なくともいずれか一方を知覚できる、という条件であることを特徴とする請求項１乃至７のいずれか一項に記載の制御装置。
【請求項１０】
前記表示特性は、輝度特性及び色度特性の少なくとも一方であることを特徴とする請求項１乃至８のいずれか一項に記載の制御装置。
【請求項１１】
前記表示装置の表示特性の検査が終了した後、前記発光手段の輝度設定値を、前記表示装置の表示特性の検査前の段階の輝度設定値に設定する設定手段をさらに備えることを特徴とする請求項１乃至９のいずれか一項に記載の制御装置。
【請求項１２】
表示パネルと、段階的に輝度設定値に切り替え可能な発光手段と、を備える表示装置の表示特性の検査を実行可能な制御装置の制御方法であって、
輝度設定値の段階毎に前記表示特性の検査を実行する制御を行う制御ステップと、
前記制御ステップにおける制御により実行された、第１の段階及び第２の段階の表示特性の検査結果が、所定の条件を満たす結果であるか否かを判定する判定ステップと、
前記判定ステップにおいて判定された、前記第１の段階の輝度設定値に応じた判定結果及び前記第２の段階の輝度設定値に応じた判定結果の少なくとも一方に基づく通知をユーザに対して行う通知ステップと、
を備えることを特徴とする制御装置の制御方法。
【発明の詳細な説明】
【技術分野】
【０００１】
本発明は、制御装置およびその制御方法に関するものである。
【背景技術】
【０００２】
医療現場では、Ｘ線装置やＭＲＩ装置などの医用診断装置により撮影された診断画像を用いる診断（画像診断）が行われている。近年では、診断画像を画像記録フイルムに出力するのではなく、診断画像データを液晶画像表示装置などのモニタに出力して、診断画像データに基づく診断画像をモニタに表示させて画像診断を行う場面が増加している。
【０００３】
このような画像診断で用いられるモニタは、所定の画質が保たれている必要がある。そのため、例えばＪＥＳＲＡ  Ｘ−００９３などの医療のガイドライン・規格には、画質の管理のための、表示特性の検査の項目（検査項目）が規定されている。表示特性の検査項目としては、モニタにテストパターンを表示してユーザが目視で主観評価する目視検査や、モニタにパッチ画像を表示して測定器により測定した結果を数値評価する測定検査が存在する。このような目視検査や測定検査などの表示特性の検査を、ユーザが自分自身で全て行う場合には、時間がかかってしまう。そのため、医療のガイドライン・規格に準拠した検査機能を備えた医用モニタ用のアプリケーションが多く存在する。
【０００４】
このような表示特性の検査において、例えばモニタが備える表示部や発光部などの劣化が進むと、所望の階調もしくは輝度が出なくなり、検査に不合格となる場合がある。このような、検査に不合格のままの状態では、モニタを画像診断に用いることができない。そこで、このようなモニタの劣化を適切に補正するために、輝度の劣化の度合いに応じて階調の補正処理を切り替える技術が開示されている（例えば、特許文献１参照）。この技術を用いれば、モニタの発光部がある程度劣化しても、所望の階調を保てるようになり、モニタに対する検査に合格可能な期間をより長くすることが可能となる。
【０００５】
ところで、近年、液晶表示装置などのモニタにおいて、画面を構成する複数の領域に対応する、発光部の複数の発光領域のそれぞれにおいて、画像データに応じて、個別に発光輝度（発光強度）を制御する技術がある。また、発光領域毎に、画像データに応じて発光部の発光輝度を個別に制御するとともに、当該発光輝度のレベルに応じて画像データを補正する技術がある。これらの技術は、ローカルディミング（以下、ＬＤという）制御技術と呼ばれ、ＬＤ制御技術を用いることで、表示映像のコントラストを向上することができ、黒浮きを抑制することができる。
【先行技術文献】
【特許文献】
【０００６】
【特許文献１】特開２００１−３４２５５号公報
【発明の概要】
【発明が解決しようとする課題】
【０００７】
このようなＬＤ制御技術を備えるモニタの多くは、ＬＤ機能の設定として、ＬＤ機能のオン・オフだけではなく、ＬＤ機能の強弱を段階的に設定（例えば、「強」・「弱」・「オフ」の３段階に設定）できるようになっている。言い換えれば、ＬＤ制御技術を備えるモニタの多くは、発光部の設定される輝度値（輝度設定値）を段階的に切り替え可能である、複数の表示モードを備えている。
【０００８】
医用モニタの目視検査において、ＬＤ機能の強弱によっては、コントラストの拡張により、医用モニタに表示されるテストパターンの見えが大きく変わってしまう。そのため、ユーザによる目視検査の合否に影響を及ぼす可能性がある。また、医用モニタの測定検査においても、ＬＤ機能の強弱によっては、用いられる発光部の光源の特性上、例えば、コントラスト比５００：１の設定（設定：「弱」）では検査に合格（医療のガイドライン・規格に準拠）だが、コントラスト比１０００：１の設定（設定：「強」）では、設定：「弱」でのコントラスト比の範囲外においては検査に不合格（医療のガイドライン・規格に非準拠）、というように、設定毎で検査結果が変わることがある。
【０００９】
しかしながら、現状のガイドライン・規格では、ＬＤ機能の強弱を段階的に設定できる制御については考慮されていないため、ＬＤ機能の設定に応じて、医用モニタにおける表示特性の検査の合否が変わるとしても、ユーザはそのことに気付かなかった。
【００１０】
具体的には、目視検査では、例えば、現在ユーザが使用中の設定で検査を行い、その設定のみにおける合否結果をもって、そのモニタが、ガイドライン・規格に準拠したモニタであるかどうかが判断されていた。また、測定検査では、例えば、現在使用中の設定が「強」や「弱」の場合であっても強制的に設定を「オフ」にして測定検査を行い、「オフ」の設定のみにおける合否結果をもって、当該モニタがガイドライン・規格に準拠したモニタであるかどうかが判断されていた。
【００１１】
つまり、これまで、複数のＬＤ機能の設定があるのにも関わらず、ある一つの設定のみで検査を行い、当該検査の合否結果をもって、その医用モニタが、ガイドライン・規格に準拠したモニタであるかどうかが判断されていた。その結果、ユーザは、ガイドライン・規格に準拠していると判定（検査に合格と判定）されたモニタを使用していたとしても、ガイドライン・規格に準拠していない設定（検査に不合格の設定）が存在し、その設定でモニタを使用し診断を行ってしまう可能性があった。
【００１２】
そこで本発明は、段階的に輝度設定値が切り替え可能な表示装置における、段階毎の表示特性の検査の合否結果を、ユーザが容易に確認できる制御装置の提供を目的とする。
【課題を解決するための手段】
【００１３】
本発明の制御装置は、表示パネルと、段階的に輝度設定値が切り替え可能な発光手段と、を備える表示装置の表示特性の検査を実行可能な制御装置であって、輝度設定値の段階毎に前記表示特性の検査を実行する制御を行う制御手段と、前記制御手段の制御により実行された、第１の段階及び第２の段階の表示特性の検査結果が、所定の条件を満たす結果であるか否かを判定する判定手段と、前記判定手段により判定された、前記第１の段階の輝度設定値に応じた判定結果及び前記第２の段階の輝度設定値に応じた判定結果の少なくとも一方に基づく通知をユーザに対して行う通知手段と、を備えることを特徴とする。
【００１４】
また、本発明の制御装置の制御方法は、表示パネルと、段階的に輝度設定値に切り替え可能な発光手段と、を備える表示装置の表示特性の検査を実行可能な制御装置の制御方法であって、輝度設定値の段階毎に前記表示特性の検査を実行する制御を行う制御ステップと、前記制御ステップにおける制御により実行された、第１の段階及び第２の段階の表示特性の検査結果が、所定の条件を満たす結果であるか否かを判定する判定ステップと、前記判定ステップにおいて判定された、前記第１の段階の輝度設定値に応じた判定結果及び前記第２の段階の輝度設定値に応じた判定結果の少なくとも一方に基づく通知をユーザに対して行う通知ステップと、を備えることを特徴とする。
【発明の効果】
【００１５】
本発明によれば、段階的に輝度設定値が切り替え可能な表示装置の表示特性を段階毎に検査し、当該段階毎の検査結果をユーザに通知することで、ユーザが段階毎の検査結果を容易に確認できる。その結果、表示装置における表示特性の検査に不合格であった段階の輝度設定値で、ユーザが表示装置を使用してしまうことを防ぐことが可能となる。
【図面の簡単な説明】
【００１６】
【図１】本発明の実施例１に係る検査システムのブロック図である。
【図２】本発明の実施例１に係るコントラスト拡張の設定の一例を説明するための模式図である。
【図３】本発明の実施例１に係るコントラスト拡張の設定毎の目視検査処理を説明するためのフローチャートである。
【図４】本発明の実施例１に係る目視検査の質問文と選択肢とを含む画像の一例を説明するための模式図である。
【図５】本発明の実施例１に係るコントラスト拡張の設定毎の目視検査の結果レポートの一例を説明するための模式図である。
【図６】本発明の実施例２に係るコントラスト拡張の設定毎の目視検査処理を説明するためのフローチャートである。
【図７】本発明の実施例２に係る警告通知処理を説明するためのフローチャートである。
【図８】本発明の実施例２に係る警告通知の一例を説明するための模式図である。
【発明を実施するための形態】
【００１７】
＜実施例１＞
以下、図１を参照して、実施例１に係る検査システムについて説明する。
【００１８】
実施例１に係る検査システムは、図１に示すように、制御装置１００と表示装置２００とから構成される。制御装置１００は、表示装置２００に対するガイドライン・規格に基づく検査が実行可能な装置であり、実行した検査の結果を保存するための装置である。実施例１では、制御装置１００として、パーソナルコンピュータ（以下、「ＰＣ１００」という）を用いる。なお、制御装置１００は、ＰＣに限らない。例えば、表示装置２００にテストパターンを供給する機能や通信を行う機能を備えた装置であれば、診断装置や画像生成装置などを制御装置１００として用いてもよい。
【００１９】
表示装置２００は、画像データに基づく画像を表示部２０４に表示するための装置である。実施例１では、表示装置２００の一例としてモニタ（以下、モニタ２００という）を用いる。
【００２０】
＜ＰＣ１００＞
次に、図１を参照して、ＰＣ１００の構成を説明する。ＰＣ１００は、図１に示すように、ＣＰＵ１０１、出力部１０２、通信部１０３、記憶部１０４及びＧＵＩ生成部１０５を有する。
【００２１】
ＣＰＵ（Ｃｅｎｔｒａｌ  Ｐｒｏｃｅｓｓｉｎｇ  Ｕｎｉｔ）１０１は、記憶部１０４に格納されているコンピュータプログラムに従って、ＰＣ１００全体の動作を制御する。また、ＣＰＵ１０１は、記憶部１０４に格納されているコンピュータプログラムに従って、ガイドライン・規格に基づく、モニタ２００に対する表示特性の検査を制御する。
【００２２】
出力部１０２は、ＣＰＵ１０１の指示に基づいて画像データを生成し、映像インタフェースなどを通じて当該画像データをモニタ２００に供給する。通信部１０３は、通信インタフェースを介した通信を制御する。通信部１０３は、ＣＰＵ１０１から供給されるデータや制御コマンドを、モニタ２００に送信する。なお、実施例１におけるモニタ２００との通信は、通信インタフェースのプロトコルに準拠した通信コマンドなどを用いて行う。記憶部１０４は、ハードディスクなどの不揮発性メモリを有する。また、記憶部１０４は、ＣＰＵ１０１のワークエリアとして機能するメモリを有する。ＧＵＩ生成部１０５は、ＣＰＵ１０１の指示に基づいて、ＧＵＩ（Ｇｒａｐｈｉｃａｌ  Ｕｓｅｒ  Ｉｎｔｅｒｆａｃｅ）を生成する。
【００２３】
＜モニタ２００＞
次に、図１を参照して、モニタ２００の構成を説明する。モニタ２００は、図１に示すように、ＣＰＵ２０１、入力部２０２、データ処理部２０３、表示部２０４、光源制御部２０５、光源部２０６、通信部２０７、操作部２０８、記憶部２０９及び設定制御部２１０を有する。
【００２４】
ＣＰＵ２０１は、記憶部２０９に格納されているコンピュータプログラムに従って、モニタ２００全体の動作を制御する。また、ＣＰＵ２０１は、設定制御部２１０を含む。入力部２０２は、映像インタフェースなどを通じて、ＰＣ１００から供給される画像データを、データ処理部２０３に供給する。データ処理部２０３は、入力部２０２から供給される画像データに基づく画像が表示部２０４で表示可能となるよう、当該画像データの形式を変換する処理を行う演算装置である。変換後の画像データは、表示部２０４に供給される。また、データ処理部２０３は、ＣＰＵ２０１からの指示に基づいて、画像データにＯＳＤ（Ｏｎ  Ｓｃｒｅｅｎ  Ｄｉｓｐｌａｙ）メニュー画像を付加する処理も行う。
【００２５】
表示部２０４は、液晶表示パネルなどの表示器により構成される。表示部２０４は、データ処理部２０３から供給される画像データに基づく画像を表示することができる。光源制御部２０５は、光源部２０６における発光領域毎の発光輝度（発光強度）を制御する演算装置である。また、光源制御部２０５は、ＣＰＵ２０１からの指示に基づいて、光源部２０６における所定の発光領域の発光輝度を変更する処理も行う。具体的には、光源制御部２０５は、現在のコントラスト拡張の設定に基づいて、画像中の暗部に対応する発光領域の発光輝度を低く（発光強度を弱く）、明部に対応する発光領域の発光輝度を高く（発光強度を強く）するように、光源部２０６を発光させる制御を行う。そうすることで、光源制御部２０５は、コントラストの拡張制御を行う。コントラスト拡張の設定については、後述する。
【００２６】
光源部２０６は、表示部２０４に対応して配置され、照明光を発するＬＥＤ（Ｌｉｇｈｔ  Ｅｍｉｔｔｉｎｇ  Ｄｉｏｄｅ）などの光源により構成される。ここでは、光源部２０６として、バックライトを用いる。光源部２０６は、表示部２０４の画面を構成する複数の分割領域毎に発光を制御可能な構成である。具体的には、光源部２０６は、各分割領域に対応する複数の発光領域を有し、光源制御部２０５により、発光領域毎に独立して発光輝度（発光強度）の制御が可能な構成である。
【００２７】
通信部２０７は、通信インタフェースを介してＰＣ１００との通信を行う。通信部２０７が受信するデータや制御コマンドは、ＣＰＵ２０１に供給される。なお、実施例１におけるＰＣ１００との通信は、通信インタフェースのプロトコルに準拠した通信コマンドなどを用いて行う。操作部２０８は、モニタ２００の外装に取り付けられたボタンなどの操作部材である。操作部２０８を用いて、ユーザはＯＳＤメニューの表示やメニュー操作を行う。なお、操作部２０８は、ジョグダイヤルやタッチセンサなどであってもよく、また、リモートコントローラのように外部から無線通信を介して操作するものであってもよい。操作部２０８に対するユーザ操作は、ＣＰＵ２０１に通知される。
【００２８】
記憶部２０９は、ＥＥＰＲＯＭなどの不揮発性メモリを有する。また、記憶部２０９は、ＣＰＵ２０１のワークエリアとして機能するメモリを有する。設定制御部２１０は、ＯＳＤメニュー操作や通信部２０７から供給される制御コマンドに基づいて、設定に関する制御を行う。設定には、少なくともコントラスト拡張の設定が含まれる。
【００２９】
＜コントラスト拡張の設定＞
次に、図２を参照して、モニタ２００におけるコントラスト拡張の設定について説明する。実施例１では、モニタ２００は、段階的にコントラストの設定値（輝度設定値）が切り替え可能な構成である。具体的には、モニタ２００は、設定に応じて、段階的に、コントラストの拡張（輝度設定値の変更）が可能な構成である。
【００３０】
例えば、実施例１では、図２に示すように、モニタ２００のコントラスト拡張の設定が、「オフ（設定［０］）」、「弱（設定［１］）」、「強（設定［２］）」の３段階で設定可能なものであることとして説明する。なお、コントラスト拡張の設定は、操作部２０８を用いてＯＳＤメニューを操作することにより変更可能である。
【００３１】
図２（ａ）は、コントラスト拡張の設定が「オフ（設定［０］）」のときの表示部２０４の見え方（ユーザが目で認識する画像）、及び、光源部２０６の制御について示している。診断画像１は、表示部２０４に表示される画像（表示画像）における、医師による診断対象の画像（オブジェクト画像）であり、背景画像２は、表示画像における、背景となる黒画像（オブジェクト画像以外の画像）である。
【００３２】
コントラスト拡張の設定が「オフ（設定［０］）」の場合、光源制御部２０５は、光源部２０６の発光領域毎に発光輝度を変える制御であるローカルディミング（ＬＤ）制御を行わない。例えば、光源制御部２０５は、所定の発光輝度（例えば、光源部２０６が発光可能な最大輝度）で、診断画像１及び背景画像２の表示領域を含む全ての発光領域が均一に発光するよう光源部２０６を制御する。そのため、表示画像における背景画像２などの暗い画像が表示される分割領域（暗部領域）に対応する発光領域も、診断画像１などの明るい画像が表示される分割領域（明部領域）に対応する発光領域の発光輝度と略同一の輝度で発光することになる。そうなると、暗部領域における表示画像は黒画像であるにも関わらず、暗部領域に対する輝度が明部領域に対する輝度と略同一の輝度（高輝度）となるように、光源部２０６が発光してしまう。その結果、光源部２０６からの光が、液晶素子を透過して外側（ユーザ側）へ漏れ出てしまい、その影響により黒浮きが生じた状態で、背景画像が表示されてしまう。
【００３３】
図２（ｂ）は、コントラスト拡張の設定が「弱（設定［１］）」のときの表示部２０４の見え方（ユーザが目で認識する画像）及び光源部２０６の制御について示している。また、図２（ｃ）は、コントラスト拡張の設定が「強（設定［２］）」のときの表示部２０４の見え方（ユーザが目で認識する画像）及び光源部２０６の制御について示している。
【００３４】
図２（ｃ）では、明部領域に対応する光源部２０６の発光輝度が、例えば、光源部２０６が設定可能な最大輝度となるよう制御される。また、図２（ｃ）では、暗部領域に対する光源部２０６の発光輝度が、例えば、光源部２０６が設定可能な最小輝度となるよう制御される。このような構成により、背景画像などが表示される暗部領域の黒浮きが抑制される。しかしながら、図２（ｃ）の構成では、暗部領域に対する光源部２０６の発光輝度が低くなるため、暗部領域に対応する発光領域から明部領域に対応する発光領域へと漏れる光が少なくなる。そうなると、明部領域の表示画像が図２（ａ）における診断画像１の輝度よりも低くなってしまう。
【００３５】
そこで、この点を解消するために、図２（ｂ）の設定［１］では、明部領域に対応する光源部２０６の発光輝度は、光源部２０６が設定可能な最大輝度となるよう制御されるとともに、暗部領域に対応する光源部２０６の発光輝度は、図２（ｃ）における暗部領域に対する発光輝度よりも高く、図２（ａ）における暗部領域に対する発光輝度よりも低くなるよう制御される。このような図２（ｂ）の構成では、図２（ｃ）の構成に比べ、暗部領域に対応する発光領域から明部領域に対応する発光領域へと漏れる光が多くなる。そうなると、明部領域の表示画像が、図２（ｃ）の構成に比べ、図２（ａ）における診断画像１の輝度により近い輝度となる。その結果、図２（ｂ）の構成では、暗部領域に対する光による、診断画像１などに対応する明部領域に及ぼす影響をより抑制して、背景画像２などに対応する暗部領域の黒浮きを抑制することができる。
【００３６】
つまり、図２（ｂ）の設定［１］は、背景画像２の黒浮きの抑制と診断画像１の輝度の低減の抑制を両立させるモードであり、図２（ｃ）の設定［２］は、背景画像２の黒浮きの抑制を優先させるモードである。このように、本実施例のモニタは、複数の表示モードを切り替え可能な表示装置である。
【００３７】
以上のように、本実施例の表示装置は、複数の表示モード毎に、例えば最小輝度値を変更することで、別々の輝度のコントラストを設定することが可能である。言い換えれば、本実施例の表示装置は、輝度設定値を段階的に設定することが可能である。なお、実施例１では、全てのモードにおいて、明部領域の輝度を光源部２０６が設定可能な最大輝度とする構成を例に説明したが、これに限らない。明部領域に対する輝度は、光源部２０６が設定可能な最大輝度よりも低い輝度であってもよいし、モード毎に変更されてもよい。
【００３８】
＜コントラスト拡張の設定毎の目視検査処理＞
次に、図３を参照して、実施例１に係る検査システムで行われる、コントラスト拡張の設定毎（輝度設定値の段階毎；輝度設定値のモード毎）の目視検査処理について説明する。目視検査とは、モニタにテストパターンを表示して、ユーザが目視でモニタ２００の表示特性を主観評価する検査である。実施例１では、目視検査の検査項目として、輝度特性について検査するが、検査項目はこれに限らない。階調特性や色度特性などの表示特性を検査する構成であってもよい。図３は、実施例１に係る検査システムで行われるコントラスト拡張の設定毎の目視検査処理の一例を説明するためのフローチャートである。
【００３９】
コントラスト拡張の設定毎の目視検査処理とは、ＰＣ１００が、モニタ２００におけるコントラスト拡張の設定毎に目視検査を行い、当該設定毎に検査結果を保存する処理のことである。なお、コントラスト拡張の設定毎の目視検査処理は、ＰＣ１００及びモニタ２００の電源がオン状態である場合に、ＣＰＵ１０１が記憶部１０４に格納されているコンピュータプログラムを実行することによって制御される。
【００４０】
コントラスト拡張の設定毎の目視検査処理の中では、モニタ２００のコントラストの設定を切り替える処理を行うため、処理終了時に目視検査を開始する前の設定に切り戻すことが望ましい。そのため、ＰＣ１００は、モニタ２００に対する目視検査前のコントラストの設定を、予め取得しておく必要がある。
【００４１】
そこで、ステップＳ３０１において、ＰＣ１００のＣＰＵ１０１は、通信部１０３に対して、現在のコントラスト拡張の設定をモニタ２００から取得するよう指示する。通信部１０３は、ＣＰＵ１０１の指示に基づいて、モニタ２００に対して、現在のコントラスト拡張の設定を取得するコマンドを送信する。モニタ２００は、ＰＣ１００より受信したコマンドの応答として、現在のコントラスト拡張の設定を含む応答コマンドを生成し、ＰＣ１００に送信する。通信部１０３は、モニタ２００より受信した応答コマンドをＣＰＵ１０１に通知する。ＣＰＵ１０１は、モニタ２００に現在のコントラスト拡張の設定を記憶部１０４に記憶して、本フローチャートはステップＳ３０１からステップＳ３０２に進む。
【００４２】
ステップＳ３０２において、ＣＰＵ１０１は、記憶部１０４より目視検査に用いるテストパターンを読み出し、出力部１０２に供給する。出力部１０２は、モニタ２００にテストパターンを送信して、本フローチャートはステップＳ３０２からステップＳ３０３に進む。
【００４３】
ステップＳ３０３において、ＣＰＵ１０１は、記憶部１０４に記憶されている内部変数ｎに対し「０」を設定して、本フローチャートはステップＳ３０３からステップＳ３０４に進む。
【００４４】
ステップＳ３０４において、ＣＰＵ１０１は、記憶部１０４に記憶されている内部変数ｎが、モニタ２００に設定可能なコントラスト拡張の設定数（輝度設定値の段階数；輝度設定値のモード数）よりも小さい値か否かを判定する。なお、実施例１では、モニタ２００に設定可能なコントラスト拡張の設定数についても、記憶部１０４に記憶されているものとする。図２を用いて説明した例では、モニタ２００に設定可能なコントラスト拡張の設定数は「３」となる。内部変数ｎが、モニタ２００に設定可能なコントラスト拡張の設定数よりも小さい値の場合（ステップＳ３０４でＹＥＳの場合）、本フローチャートはステップＳ３０４からステップＳ３０５に進む。内部変数ｎが、モニタ２００に設定可能なコントラスト拡張の設定数以上の値の場合（ステップＳ３０４でＮＯの場合）、本フローチャートはステップＳ３０４からステップＳ３１０に進む。
【００４５】
内部変数ｎが、モニタ２００に設定可能なコントラスト拡張の設定数よりも小さい値の場合（ステップＳ３０４でＹＥＳの場合）、モニタ２００のコントラスト拡張の設定を切り替えて目視検査を行う必要がある。そこで、ステップＳ３０５において、ＣＰＵ１０１は、通信部１０３に対して、モニタ２００のコントラスト拡張の設定を設定［ｎ］に切り替えるよう指示する。ここでは、まず、内部変数ｎが「０」に設定されているため、ＣＰＵ１０１は、通信部１０３に対して、モニタ２００のコントラスト拡張の設定を設定［０］（コントラスト拡張オフ）に切り替えるよう指示する。通信部１０３は、ＣＰＵ１０１の指示に基づいて、モニタ２００に対して、コントラスト拡張の設定を切り替えるコマンドを送信して、本フローチャートはステップＳ３０５からステップＳ３０６に進む。
【００４６】
ステップＳ３０６において、ＣＰＵ１０１は、目視検査に関する質問文と選択肢とを含む画像を生成し、出力部１０２に供給する。出力部１０２は、ステップＳ３０２でＣＰＵより供給されたテストパターンに当該画像を重畳し、モニタ２００に送信して、本フローチャートはステップＳ３０６からステップＳ３０７に進む。
【００４７】
ここで、ステップＳ３０６で生成する画像の一例を図４に示す。図４に示すように、質問文と選択肢とを含む画像が、テストパターン（複数の階調値の画像を含むテスト画像）に重畳されてモニタ２００に表示され、ユーザは目視評価に基づいて選択肢を選択する。例えば、モニタ２００のコントラスト拡張の設定が、図２を用いて説明した例における「強（設定［２］）」のときには、図４における画像４０１及び画像４０２の見えがつぶれて、輝度差が知覚できなくなることが考えられる。このような場合には、「輝度差を知覚することができますか？」という質問文に対して、ユーザは「いいえ」を選択することになる。
【００４８】
ステップＳ３０７において、ＣＰＵ１０１は、ステップＳ３０６で表示した画像における選択肢が、ユーザにより選択されたか否かを判定する。なお、ここでの判定は、マウス（不図示）などの入力手段からの入力を監視することにより行うものとする。選択肢がユーザにより選択された場合（ステップＳ３０７でＹＥＳの場合）、本フローチャートはステップＳ３０７からステップＳ３０８に進む。選択肢がユーザにより選択されていない場合（ステップＳ３０７でＮＯの場合）、ユーザが選択するまで待機する。
【００４９】
ステップＳ３０８において、ＣＰＵ１０１は、モニタ２００におけるコントラスト拡張の設定が設定［ｎ］のときの目視検査の結果を記憶部１０４に記憶して、本フローチャートはステップＳ３０８からステップＳ３０９に進む。なお、実施例１では、図４に示す画像において「はい」が選択された場合は、目視検査の結果として、目視検査に合格（検査対象のモニタが、医療のガイドライン・規格に準拠）と判定する。一方、図４に示す通知画像において「いいえ」が選択された場合は、目視検査の結果として、目視検査に不合格（検査対象のモニタが、医療のガイドライン・規格に非準拠）と判定するものとする。言い換えれば、本実施例では、モニタ２００に複数の階調値の画像を含むテスト画像を表示し、ユーザが当該複数の階調値の画像間で輝度差を知覚できる、という条件を満たす場合、目視検査に合格と判定する。
【００５０】
ステップＳ３０９において、ＣＰＵ１０１は、記憶部１０４に記憶されている内部変数ｎをインクリメントして、本フローチャートはステップＳ３０９からステップＳ３０４に進む。ここでは、内部変数ｎが「０」に設定されているため、ステップＳ３０９において、内部変数ｎを「１（＝０＋１）」と設定し、本フローチャートはステップＳ３０９からステップＳ３０４に進む。
【００５１】
内部変数ｎが、モニタ２００に設定可能なコントラスト拡張の設定数以上の値の場合（ステップＳ３０４でＮＯの場合）、モニタ２００の全てのコントラスト拡張の設定で（全ての段階で）目視検査を終了していることになる。そこで、ステップＳ３１０において、図５で示すような目視検査の結果（モニタ２００が、目視検査に合格か不合格かの判定結果）の一覧を示すＧＵＩを生成するよう、ＣＰＵ１０１は、ＧＵＩ生成部１０５に対して指示する。ＧＵＩ生成部１０５は、記憶部１０４に記憶される目視検査の結果や通信部１０３を介して得られるモニタ２００に関する、製造元やモデル名、製造番号の情報などに基づき、ＧＵＩを生成する。当該ＧＵＩは、ユーザ指示に基づき、目視検査の結果を示すレポート画像としてモニタ２００に表示される。このように目視検査の結果をモニタ２００に表示することにより、ユーザがコントラスト拡張の設定毎の目視検査の結果を容易に確認できるようになる。その結果、ユーザが、目視検査で不合格となったコントラスト拡張の設定で診断を行ってしまうことを防ぐことが可能となる。なお、目視検査の結果のレポート画像は、検査が終わったタイミングに応じて、自動的に表示される構成であってもよい。
【００５２】
ステップＳ３１０において、目視検査の結果一覧を示すＧＵＩが生成されると、ステップＳ３１１において、ＣＰＵ１０１は、記憶部１０４よりステップＳ３０１で記憶したモニタ２００の目視検査を開始する前のコントラスト拡張の設定を読み出す。そして、ＣＰＵ１０１は、通信部１０３に対して、モニタ２００のコントラスト拡張の設定を、目視検査を開始する前の当該設定に切り替えるよう指示する。通信部１０３は、ＣＰＵ１０１の指示に基づいて、モニタ２００に対しコントラスト拡張の設定を切り替えるコマンドを送信して、本フローチャートを終了する。
【００５３】
以上のようにして、内部変数ｎがコントラスト拡張の設定［ｎ］に到達するまで、本制御が繰り返される。本実施例では、内部変数ｎが設定［０］から設定［２］に到達するまで、本制御が繰り返されることになる。
【００５４】
なお、実施例１では、１項目の目視検査（輝度特性の検査；輝度差の知覚検査）を、モニタ２００のコントラスト拡張の設定を切り替えて行う例を説明したが、これに限らない。輝度差の知覚検査ではなく、色差の知覚検査などでもよいし、輝度差の知覚検査及び色差の知覚検査などの複数項目の目視検査を、連続して実施してもよい。テストパターンを切り替えない場合は、ステップＳ３０３からステップＳ３０９の処理を目視検査の項目数分繰り返し、テストパターンを切り替える場合は、ステップＳ３０２からステップＳ３０９の処理を目視検査の項目数分繰り返せばよい。
【００５５】
また、実施例１では、モニタ２００に設定可能なコントラスト拡張の設定数について記憶部１０４に記憶されているものとして説明したが、これに限らない。モニタ２００に設定可能なコントラスト拡張の設定数は、通信部１０３を介してモニタ２００から取得するようにしてもよい。
【００５６】
また、実施例１では、コントラスト拡張の設定数が３である場合を説明したが、これに限らない。コントラスト拡張の設定数は４以上であってもよいし、２であってもよい。
以上のように、実施例１に係る検査システムにおいて、モニタ２００のコントラスト拡張の設定を自動的に切り替えるとともに、設定毎に目視検査の結果を保存し、図５に示すように、目視検査の結果をレポートとして出力するようにした。これにより、設定毎の目視検査の結果の合否を示すことが可能となるので、ユーザは設定毎の目視検査の結果を容易に確認できるようになる。その結果、ユーザが目視検査で不合格となったコントラスト拡張の設定で診断を行ってしまうことを防ぐことが可能となる。
【００５７】
＜実施例２＞
実施例２における検査システムは、実施例１と同様の構成のため、図１に示す符号を用いて説明することとし、構成についての説明は省略する。また、モニタ２００におけるコントラスト拡張の設定についても、実施例１と同様の内容であるため、説明は省略する。
【００５８】
＜コントラスト拡張の設定毎の目視検査処理＞
図６を参照して、実施例２に係る検査システムで行われるコントラスト拡張の設定毎の目視検査処理について説明する。なお、図６におけるステップＳ６０１からステップＳ６１０は、実施例１のステップＳ３０１からステップＳ３１０と同様の処理であるため、説明は省略する。
【００５９】
ステップＳ６１１において、ＣＰＵ１０１は、記憶部１０４よりステップＳ６０８で記憶したモニタ２００のコントラスト拡張の設定毎の目視検査の結果（モニタ２００が、目視検査に合格か不合格かの判定結果）を読み出し、通信部１０３に対して、当該結果をモニタ２００に通知するよう指示する。通信部１０３は、ＣＰＵ１０１の指示に基づいて、モニタ２００に対してコントラスト拡張の設定毎の目視検査の結果を通知するコマンドを送信して、本フローチャートを終了する。なお、モニタ２００は、ＰＣ１００よりコントラスト拡張の設定毎の目視検査の結果を通知するコマンドを受信した場合、当該結果を記憶部２０９に記憶する。
【００６０】
＜警告通知処理＞
次に、図７を参照して、実施例２に係るモニタ２００で行われる警告通知処理について説明する。図７は、実施例２に係るモニタ２００で行われる警告通知処理の一例を説明するためのフローチャートである。警告通知処理は、ＯＳＤメニューにより、ユーザが目視検査で不合格（医療のガイドライン・規格に非準拠）となったモニタ２００のコントラスト拡張の設定に切り替えた際に、警告通知を行う処理である。なお、警告通知処理は、モニタ２００の電源がオン状態である場合に、ＣＰＵ２０１が記憶部２０９に格納されているコンピュータプログラムを実行することによって制御される。
【００６１】
ステップＳ７０１において、モニタ２００におけるＣＰＵ２０１内の設定制御部２１０は、コントラスト拡張の設定が目視検査で不合格となった設定へと切り替えられたか否かを判定する。なお、目視検査で不合格となった設定への切り替え判定は、ステップＳ６１１で記憶部２０９に記憶したコントラスト拡張の設定毎の目視検査の結果を読み出すことで行われる。目視検査の複数の項目に関する結果が存在する場合、１項目でも不合格の結果がある設定は不合格と判定する。目視検査で不合格となった設定に切り替えられたと判定された場合（ステップＳ７０１でＹＥＳの場合）、本フローチャートはステップＳ７０１からステップＳ７０２に進む。目視検査で不合格となった設定に切り替えられていないと判定された場合（ステップＳ７０１でＮＯの場合）、本フローチャートを終了する。
【００６２】
目視検査で不合格となった設定に切り替えられたと判定された場合（ステップＳ７０１でＹＥＳの場合）、ユーザに対して、現在のコントラスト拡張の設定が目視検査で不合格となった設定である旨を通知（警告通知）する必要がある。そこで、ステップＳ７０２において、ＣＰＵ２０１は、データ処理部２０３に対して、警告画像を生成するよう指示する。データ処理部２０３は、表示部２０４に警告メッセージを含む警告画像をＯＳＤ表示するよう制御して、本フローチャートを終了する。警告画像は、例えば図８で示すような、現在のコントラスト拡張の設定が目視検査で不合格となった設定である旨を通知する画像である。図８に示すような警告メッセージを含む警告画像が、表示部２０４上にＯＳＤ表示される。
【００６３】
なお、実施例２では、ステップＳ７０１における不合格の判定について、目視検査の１項目でも不合格となっていれば、「不合格（検査対象のモニタが、医療のガイドライン・規格に非準拠）」と判定する例を説明したが、これに限らない。例えば、目視検査の全項目で不合格となった場合のみ不合格と判定するようにしてもよい。また、目視検査の２項目が不合格となっていれば、不合格と判定する構成であってもよい。また、不合格と判定する基準となる目視検査の項目数は、ユーザにより任意に設定されてもよい。
【００６４】
また、実施例２のステップＳ７０２では、警告画像により、現在のコントラスト拡張の設定が目視検査で不合格となった設定である旨をユーザに通知する構成を説明したが、これに限らない。音声や、モニタ２００の一部に設けられたランプなどの光により、警告通知する構成であってもよい。また、警告画像による警告か、音声による警告か、光による警告かを、ユーザが任意に設定できる構成であってもよい。また、警告画像による警告、音声による警告及び光による警告のうちの２つの警告を用いて、警告通知してもよいし、全ての警告を用いて警告通知を行ってもよい。
【００６５】
また、実施例２においては、目視検査で不合格となった設定に切り替えられていると判定された場合は常に警告通知する構成を説明したが、これに限らない。警告通知するか否かを、表示画像の種類に応じて、決定してもよい。例えば、診断画像以外の種類の画像（例えば、風景画像やグラフィクス画像など）をモニタ２００に表示する場合は、現在のコントラスト拡張の設定が目視検査で不合格となった設定であったとしても、ユーザによる使用上の問題が生じない場合がある。このような場合には、警告通知をユーザに対して行わなくてもよい。この場合、ユーザが事前に、警告通知を行うべき画像の種類、警告通知を行わなくてもよい画像の種類に関する情報を、ＰＣ１００を介してモニタ２００の記憶部２０９に記憶させ、当該情報に基づき、設定制御部２１０が警告通知を行うか否かの判定を行ってもよい。なお、警告通知を行うべき画像の種類、警告通知を行わなくてもよい画像の種類に関する情報は、予め記憶部２０９に記憶されていてもよい。
【００６６】
また、ユーザに対して警告通知を行うか否かを、表示画像の重要度や、目視検査で不合格となった場合の診断への影響度に応じて、決定してもよい。例えば、ユーザにとって重要度の低い画像をモニタ２００に表示する場合や、表示される診断画像を目視検査で不合格となった設定で診断しても診断の正確性に影響を与えない場合などがある。このような場合では、現在設定されているコントラスト拡張の設定が目視検査で不合格となった設定であったとしても、ユーザによる使用上の問題が生じない可能性が高い。このような場合においても、警告通知をユーザに対して行わないように制御してもよい。
【００６７】
また、実施例２において、現在のコントラスト拡張の設定が目視検査で不合格となった設定に切り替えられていると判定された場合に警告通知する例を説明したが、これに限らない。現在のコントラスト拡張の設定が目視検査で合格となった設定に切り替えられたと判定された場合に、当該設定が検査で合格となった旨をユーザに通知してもよい。この場合においては、現在のコントラスト拡張の設定が目視検査で不合格となった設定に切り替えられていると判定された場合に警告通知を行ってもよいし、行わなくてもよい。この場合において、当該警告通知を行わなくてもよい理由としては、ユーザが事前に、検査結果が合格である場合にのみその旨が通知されることを知っていれば、合格が通知されない場合には、検査結果が不合格であることが分かり得るからである。
【００６８】
このように、実施例２に係る検査システムにおいては、モニタ２００のコントラスト拡張の設定の段階を自動的に切り替えるとともに、設定毎に目視検査の結果を保存するようにした。さらに、モニタ２００のコントラスト拡張の設定が不合格となった設定に切り替えられた際に、現在のコントラスト拡張の設定が目視検査で不合格となった設定である旨をユーザに通知するようにした。これにより、ユーザは現在の設定の目視検査の結果を容易に確認できるようになり、目視検査で不合格となったコントラスト拡張の設定のまま診断を行ってしまうことを防ぐことができる。
【００６９】
なお、本発明においては、表示装置が、液晶パネルを有する液晶表示装置である場合の例を説明したが、表示装置は液晶表示装置に限らない。例えば、液晶パネルの代わりに、光源部からの光を透過する表示素子として液晶素子以外の表示素子を有する表示パネルが用いられてもよい。また、表示装置が、自発光型の有機ＥＬ（Ｅｌｅｃｔｒｏｌｕｍｉｎｅｓｃｅｎｃｅ）表示装置であってもよい。
【００７０】
また、本発明において、表示画像が医用画像である例を説明したが、これに限らない。表示画像が医用画像以外の画像である場合にも、本発明の制御を適用可能である。また、静止画像だけでなく、動画像を表示する場合にも、本発明の制御を適用可能である。
【００７１】
また、本発明においては、モニタにテストパターンを表示してユーザが目視で主観評価する目視検査を例に説明したが、これに限らない。モニタにパッチ画像を表示して、測定器により測定した結果を数値評価する測定検査を行うことで、モニタの表示特性を検査してもよい。測定器は、モニタの前面側に取り付けられるタイプのものであってもよいし、ユーザが手に持って画面のパッチ上にユーザ自身で対向配置させるタイプのものであってもよいし、モニタ内に内蔵されるタイプのものであってもよい。この場合、測定器による測定で得られた測定値Ａが、予め制御装置の記憶部に記憶される目標値Ｂと比較し、所定の範囲内であるか否かで、検査に合格であるか否かを判定してもよい。例えば、測定値Ａが、０．９５×Ｂ≦Ａ≦１．０５×Ｂを満たす（測定値Ａが、目標値Ｂに基づく所定の範囲内である）という条件を満たす場合、検査対象のモニタが、検査に合格であると判定してもよい。
【００７２】
また、本発明においては、表示装置が医療現場で用いられるモニタである例を説明したが、これに限らない。画像データに基づく画像を表示する機能を持つ装置であれば、例えば、映像制作の現場などで用いられるモニタや、テレビジョン受像機などの装置を、表示装置として用いてもよい。
【符号の説明】
【００７３】
１００  制御装置
１０１  ＣＰＵ
１０２  出力部
１０３  通信部
１０４  記憶部
１０５  ＧＵＩ生成部
２００  表示装置
２０６  光源部
【図１】
2017152992.tif 000003
【図２】
2017152992.tif 000004
【図３】
2017152992.tif 000005
【図４】
2017152992.tif 000006
【図５】
2017152992.tif 000007
【図６】
2017152992.tif 000008
【図７】
2017152992.tif 000009
【図８】
2017152992.tif 000010